(57)【要約】主装置にイーサネットサービスを提供するのに適したデバイスに、ピンのセットを備えたポートコネクタを介して接続されている主装置で、サービスを起動する方法であって、ピンのセットは第１のピンのサブセットと第２のピンのサブセットを含み、第１のピンのサブセットと第２のピンのサブセットは、共通のピンを含まない。方法は、第１のピンのサブセットでのファーストイーサネットサービスと、第２のピンのサブセットでの第２のサービスを、初期状態で常に検知するステップと、ファーストイーサネットサービスと第２のサービスのどちらが、第１のピンのサブセットと第２のピンのサブセットで信号伝達されているかを検出するステップと、第２のサービスが検出された場合、第２のピンのサブセットを選択し、主装置で第２のサービスを起動するステップと、ファーストイーサネットサービスが検出された場合、第２のサービスを無効にして、第１のピンのサブセットと第２のピンのサブセットを選択し、ファーストイーサネットサービスを起動するステップと、さらに、ギガビットイーサネットサービスが可能な場合、ファーストイーサネットサービスの代わりに、ギガビットイーサネットサービスを有効にするステップとを、含む。
2016502364.tif 000002
【特許請求の範囲】
【請求項１】
主装置（２０１）でサービスを起動する方法であって、前記主装置は、ピンのセットを含むポートコネクタ（２０８）を介して、前記主装置にイーサネットサービスを提供するのに適したデバイスに接続され、前記ピンのセットは、第１のピンのサブセット（１〜３，６）と第２のピンのサブセット（４，５，７，８）とを含み、前記第１のピンのサブセットおよび前記第２のピンのサブセットは、共通のピンを含まず、
初期状態（Ｓ１）において、常に、前記第１のピンのサブセット（１〜３，６）でファーストイーサネットサービスの検知を行い、前記第２のピンのサブセット（４，５，７，８）で第２のサービスの検知を行うステップと、
前記ファーストイーサネットサービスと前記第２のサービスのどちらかが、前記第１のピンのサブセットと前記第２のピンのサブセットで信号伝達されているのを検出するステップ（Ｓ２）と、
前記第２のサービスが検出された場合、前記第２のピンのサブセット（４，５，７，８）を選択し（Ｓ３）、前記主装置で前記第２のサービスを起動するステップと、
前記ファーストイーサネットサービスが検出された場合、前記第２のサービスを無効にし、前記第１のピンのサブセットと前記第２のピンのサブセット（１〜８）を選択し（Ｓ３）、前記ファーストイーサネットサービスを起動し、さらに、ギガビットイーサネットサービスが可能な場合、前記第１のピンのサブセットと前記第２のピンのサブセット（１〜８）を含む前記ポートコネクタ（２０８）で、前記ファーストイーサネットサービスの代わりに、前記ギガビットイーサネットサービスを有効にするステップと、
を含む、前記方法。
【請求項２】
前記ポートコネクタは、８Ｐ８ＣモジュラーコネクタまたはＲＪ４５コネクタ（２０８）である、請求項１に記載の方法。 
【請求項３】
前記第２のサービスは、ｘＤＳＬおよび／またはＰＳＴＮサービスである、請求項１または２に記載の方法。
【請求項４】
前記ファーストイーサネットサービスおよび前記第２のサービスの両方が、前記両方のピンのサブセットで検出された場合、エラー状態をユーザに報告し、両方のサービスを無効にするステップを含む、請求項１、２、または、３に記載の方法。
【請求項５】
前記主装置は、選択コンポーネント（２０７）を備え、前記選択コンポーネント（２０７）は、前記主装置のスイッチを入れると、常に、前記第２のピンのサブセット（４，５，７，８）を前記第２のサービスに切り替え、前記ファーストイーサネットサービスが検出された時、ギガビットイーサネット機能が可能な場合、前記ギガビットイーサネットサービスを有効にするために、第１および第２のピンのサブセット（１〜８）に切り替える、請求項１〜４の１項に記載の方法。
【請求項６】
選択されたサービスの同期が失われた場合に、前記第２のサービスのために前記第２のピンのサブセット（４、５、７、８）が選択される前記初期状態（Ｓ１）に常に切り替えるステップを含む、請求項１〜５の１項に記載の方法。
【請求項７】
装置にサービスを提供するのに適したデバイスに接続するためのポートコネクタ（２０８）を備えた前記装置（２０７）であって、
前記ポートコネクタは、第１のピンのサブセット（１〜３，６）と第２のピンのサブセット（４，５，７，８）を有するピンのセットを含み、前記第１のピンのサブセットと前記第２のピンのサブセットは共通のピンを持たず、
前記装置は、第１のサービスと第２のサービスのどちらが、前記第１のピンのサブセットと前記第２のピンのサブセットで信号伝達されるかを検出し、かつ、前記検出された第１または第２のサービスを前記装置上で起動するための検出器（２０２，２０４，２０５，２０６）と、前記第１のサービスも前記第２のサービスも検出されない場合に、前記装置で第３のサービスを選択するための選択コンポーネント（２０７）とを含み、前記第３のサービスは、前記ポートコネクタ（２０８）の、前記第１のピンのサブセットと前記第２のピンのサブセット（１〜８）からなる第３のピンのセット（１〜８）を必要とする、
前記装置（２０１）。
【請求項８】
前記ポートコネクタは、８Ｐ８ＣモジュラーコネクタまたはＲＪ４５コネクタ（２０８）である、請求項７に記載の装置。
【請求項９】
前記第１のサービスはファーストイーサネットサービスであり、前記第３のサービスはギガビットイーサネットサービスである、請求項７または８に記載の装置。
【請求項１０】
ファーストイーサネットまたは前記第２のサービスが有効にされているか否かを検出し、ファーストイーサネットも前記第２のサービスも検出されない場合、前記ギガビットイーサネットサービスを選択する、請求項９に記載の装置。
【請求項１１】
前記第２のサービスは、ｘＤＳＬおよび／またはＰＳＴＮサービスである、請求項７、８または９に記載の装置。
【請求項１２】
前記選択コンポーネント（２０７）は、前記装置のスイッチを入れると、常に、前記第２のピンのサブセット（４，５，７，８）を前記第２のサービスに切り替え、ファーストイーサネットも前記第２のサービスも検出されない時、前記ギガビットイーサネットサービスに切り替える、請求項９、１０または１１の１項に記載の装置。
【請求項１３】
前記選択コンポーネント（２０７）は、選択されたサービスの同期が失われた場合、前記第２のサービスのために前記第２のピンのサブセット（４，５，７，８）が選択されている初期状態（Ｓ１）に、常に切り替える、請求項７〜１２の１項に記載の装置。
【請求項１４】
前記装置は住居用ゲートウェイである、請求項７〜１３の１項に記載の装置。
【請求項１５】
請求項１〜６の１項に記載の方法を行うための装置（２０１）であって、前記装置にサービスを提供するのに適したデバイスを接続するためのポートコネクタ（２０８）を備える、前記装置。
【発明の詳細な説明】
【技術分野】
【０００１】
本発明は、ネットワークポート管理の分野に関する。より詳細には、本発明は、単一のネットワークポートを、多目的なネットワークポートとして用いる方法に関する。
【背景技術】
【０００２】
住居用ゲートウェイ等のデバイスが提供する必要のあるサービスの量は、一般的に、増えている。この結果、このようなシステムのポートの量も増えている。しかし、多くの場合、そのデバイスを使用している顧客の目からみると、一部のサービスは互いに排他的である。例えば、２つの別個のポートを備えるデバイスを考えると、顧客は第１のポートまたは第２のポートを使用し、両方は同時に使用しないことがよくある。しかし、全てのあり得るニーズに対応するために、システム開発者は、必要とされるサービスを全て、たとえ、それらが互いに排他的であっても、考慮してシステムを設計しなければならない。
【０００３】
それに加えて、ポートは、単一のサービスへのアクセスを提供する場合でさえ、設計サイズを決定する要因になり始めている。互いに排他的なサービスの場合、各サービスが別個のポートを必要とし、その各ポートがかなり大きくなる場合があるので、無駄になるスペースの量は増加する。
【０００４】
特許文献１は、単純な通常の電話線、様々なコンピュータデバイス、および／または、ローカルエリアネットワークに接続する多目的なコネクタおよび回路を組み込んだ携帯電話機を開示している。
【先行技術文献】
【特許文献】
【０００５】
【特許文献１】米国特許公開第２００２１０６９９４号明細書
【発明の概要】
【０００６】
本発明は、主装置にイーサネットサービスを提供するのに適したデバイスに、ピンのセットを備えたポートコネクタを介して接続される主装置において、サービスを起動する方法を開示している。ピンのセットは、第１のピンのサブセットと第２のピンのサブセットとを含み、第１のピンのサブセットと第２のピンのサブセットは共通のピンを持たない。方法は、
初期状態において、第１のピンのサブセットでファーストイーサネットサービスを、第２のピンのサブセットで第２のサービスを常に検知するステップと、
ファーストイーサネットサービスと第２のサービスのどちらが、第１のピンのサブセットと第２のピンのサブセットで信号伝達されているかを検出するステップと、
第２のサービスが検出された場合、第２のピンのサブセットを選択して、第２のサービスを主装置で起動するステップと、
ファーストイーサネットサービスが検出された場合、第２のサービスを無効にし、第１のピンのサブセットと第２のピンのサブセットを選択し、ファーストイーサネットサービスを起動し、さらに、ギガビットイーサネットサービスが可能な場合、第１のサブセットと第２のサブセットを含むポートコネクタで、ファーストイーサネットサービスの代わりにギガビットイーサネットサービスを有効にするステップとを含む。ファーストイーサネットサービスの検出は、詳細には、ファーストイーサネットサービスを有効にすることによって開始し、次に、ファーストイーサネット検出中にギガビットイーサネット機能が通知されると、ギガビットイーサネットを有効にする。
【０００７】
好ましい実施形態においては、第２のサービスは、ｘＤＳＬおよび／またはＰＳＴＮサービスであり、ポートコネクタは、イーサネット（登録商標）、ｘＤＳＬ、および／または、ＰＳＴＮサービスで用いられるような８Ｐ８ＣモジュラーコネクタまたはＲＪ４５コネクタである。
【０００８】
本発明の態様において、主装置は、選択コンポーネントを含む。選択コンポーネントは、主装置にスイッチを入れた後、常に、第２のピンのサブセットを第２のサービスに切り替え、ファーストイーサネットサービスが検出された時、ギガビットイーサネット機能が可能な場合、ギガビットイーサネットサービスを有効にするために、第１のピンのサブセットと第２のピンのサブセットの両方に切り替える。従って、第２のサービスは、主装置のスイッチを入れると、最初は、リスニング／検出モードになる。
【０００９】
本発明のさらなる態様においては、方法は、選択されたサービスの同期が失われると、第２のサービスのために第２のピンのサブセットが選択される初期状態に常に切り替わる。この段階で、第２のサービスは、リスニング／検出モードにある。ファーストイーサネットサービスと第２のサービスの両方が、第１ピンのサブセットと第２のピンのサブセットの両方で検出された場合、エラー状態が主装置のユーザに報告され、ファーストイーサネットサービスと第２のサービスの両方が無効にされる。
【００１０】
本発明に従った装置は、その装置にサービスを提供するのに適したデバイスに接続するためのポートコネクタを含む。ポートコネクタは、第１のサブセットと第２のサブセットとを有するピンのセットを含み、第１のサブセットと第２のサブセットは共通のピンを含まない。装置は、第１のサービスと第２のサービスのどちらが、第１のピンのサブセットと第２のピンのサブセットで信号伝達されているかを検出して、検出した第１または第２のサービスを装置で起動させる検出器と、第１のサービスも第２のサービスも検出されない場合、装置での第３のサービスを選択する選択コンポーネントとをさらに含み、第３のサービスは、ポートコネクタの第３のピンのセットを必要とし、第３のピンのセットは、第１のピンのサブセットと第２のピンのサブセットを含む。
【００１１】
好ましい実施形態においては、第１のサービスはファーストイーサネットサービスで、第３のサービスはギガビットイーサネットサービスであり、ファーストイーサネットまたは第２のサービスが有効にされているか否かを検出し、ファーストイーサネットも第２のサービスも検出されない場合、ギガビットイーサネットサービスが選択される。ポートコネクタは、例えば、８Ｐ８ＣモジュラーコネクタまたはＲＪ４５コネクタである。第２のサービスは、詳細には、ｘＤＳＬおよび／またはＰＳＴＮサービスである。
【００１２】
本発明の態様においては、選択コンポーネントは、装置のスイッチを入れると、常に、第２のピンのサブセットを第２のサービスに切り替え、ファーストイーサネットも第２のサービスも検出されない場合、ギガビットイーサネットサービスに切り替える。
【００１３】
本発明のさらなる態様においては、選択コンポーネントは、選択されたサービスの同期が失われると、第２のサービスのための第２のピンのサブセットが選択される初期状態に常に切り替える。これは、リンクが失われた後、再度、第２のサービスの検出を有効にするためである。
【００１４】
装置、それぞれ、主装置は、詳細には、住居用ゲートウェイである。
【００１５】
理解を深めるために、本発明を、図面を参照しながら以下により詳しく説明する。本発明は、記載の実施形態に限定されず、具体的な特徴は、請求項で規定される本発明の範囲から逸脱することなく、適切に組み合わせでき、および／または、修正できることは理解されよう。
【図面の簡単な説明】
【００１６】
【図１】本発明のフロー図である。
【図２】例示的な実施形態を示す住居用ゲートウェイのハードウェア構成である。
【発明を実施するための形態】
【００１７】
以下に、本発明の主装置の好ましい実施形態を記載する。
【００１８】
主装置は、この例では、図２に示す住居用ゲートウェイ２０１である。住居用ゲートウェイ２０１は、下記のハードウェアの機能を含む。
【００１９】
イーサネットまたは８Ｐ８Ｃコネクタとしても知られているＲＪ４５ポートコネクタ２０８
イーサネット回路２０６との１０ＢａｓｅＴ／１００Ｂａｓｅ−ＴＸ／１０００Ｂａｓｅ−Ｔギガビットイーサネットインタフェース
住居用ゲートウェイによって制御されて、様々な利用可能なインタフェース間の選択を自動的に行うことができる選択コンポーネント２０７
例えば、ＰＳＴＮサービスのための音声回路２０２
ローパスフィルタ２０４ 
ハイパスフィルタ２０５を備えたｘＤＳＬ  ＡＦＥ（アナログフロントエンド）
ＣＰＵやコントローラなどを含む、ゲートウェイ２０１の基板のリアルエステート（Board Real estate）の残りの部分２０３ 
ＲＪ４５コネクタ２０９は、ＲＪ４５ポートコネクタ２０８に接続される。
【００２０】
多目的ピンとして用いることができるＲＪ４５ポートコネクタ２０８のピンは、ピン４，５，７，８である。用いられる多目的ピンの量は、多重インタフェースに依存する。例示の本実施形態においては、ピン４，５が２本の多目的ピンとして用いられている。ＲＪ４５ポートコネクタ２０８に接続できるアクセス技術の性質に応じて、１本、２本、３本、または、４本の多目的ピンが用いられる。
【００２１】
サービスプロバイダは、エンドカスタマーに多種類のサービスを提供する。例においては、これらのサービスは、下記のようなＷＡＮ（広域ネットワーク）技術である。
【００２２】
イーサネット
ｘＤＳＬ（特に、ＡＤＳＬ、ＡＤＳＬ２、ＡＤＳＬ２＋、ＶＤＳＬ、ＶＤＳＬ２）および／または＋ＰＳＴＮ、ここで、ＰＳＴＮは、公衆交換電話網（Ｐｕｂｌｉｃ  Ｓｗｉｔｃｈｅｄ  Ｔｅｌｅｐｈｏｎｅ  Ｎｅｔｗｏｒｋ）を表し、ＤＳＬは、デジタル加入者線（Ｄｉｇｉｔａｌ  Ｓｕｂｓｃｒｉｂｅｒ  Ｌｉｎｅ）を表す。
【００２３】
これらのサービスは、ＲＪ４５コネクタ２０９を介して住居用ゲートウェイ２０１に提供される。ＲＪ４５コネクタ２０９およびＲＪ４５ポートコネクタ２０８は、それぞれ、８本のピンを有する。
【００２４】
住居用ゲートウェイは、選択コンポーネント２０７を有する。この選択コンポーネント２０７によって、ファーストイーサネット、ギガビットイーサネット、ＰＳＴＮ単独、ＰＳＴＮ＋ｘＤＳＬ、または、ｘＤＳＬ単独などのサービスのから、住居用ゲートウェイ２０１で起動するサービスを選択することができる。
【００２５】
ファーストイーサネットサービスは、ＲＪ４５ポートコネクタ２０８のピン１，２，３，６で検出可能である。ファーストイーサネットが検出されると、システムは、そのポートがギガビットイーサネットにも使えるか否かを知ろうとする。ギガビット機能が可能である場合、ファーストイーサネットサービスは、ＲＪ４５ポートコネクタ２０８の８本のピンで起動されるギガビットサービスに切り替えられる。
【００２６】
選択コンポーネント２０７の操作方法を記載する。
【００２７】
選択コンポーネント２０７は、２つの選択モードを有する。第１の選択モードは、「ｘＤＳＬ（＋ＰＳＴＮ）モード」であり、第２の選択モードは、「ギガビットモード」である。
【００２８】
選択モード「ｘＤＳＬ（＋ＰＳＴＮ）モード」においては、ＲＪ４５ポートコネクタ２０８のピン４と５は、住居用ゲートウェイ２０１の音声回路２０２とｘＤＳＬ  ＡＦＥ２０５とにリンクされ、ＲＪ４５ポートコネクタ２０８のピン１，２，３，６，７，８は、住居用ゲートウェイ２０１のイーサネット回路２０６にリンクされる。
【００２９】
選択モード「ギガビットモード」において、ＲＪ４５ポートコネクタ２０８の８本のピン１〜８は、住居用ゲートウェイ２０１のイーサネット回路２０６に接続される。
【００３０】
選択コンポーネントが「ｘＤＳＬ（＋ＰＳＴＮ）モード」であっても「ギガビットモード」であっても、ＲＪ４５ポートコネクタ２０８のピン１，２，３，６，７，８は、住居用ゲートウェイ２０１のイーサネット回路２０６に接続されたままである。結果として、その２つの選択モードにおいては、住居用ゲートウェイ２０１のイーサネット回路２０６によって、ＲＪ４５ポートコネクタ２０８のピン１，２，３，６を介して、イーサネットサービスの信号伝達を検出することができる。結果として生じる利点は、２つのポートではなく１つのポートを使用することである。
【００３１】
図１の初期状態Ｓ１において、選択コンポーネント２０７は、「ｘＤＳＬ（＋ＰＳＴＮ）モード」である。「ｘＤＳＬ（＋ＰＳＴＮ）モード」設定においては、住居用ゲートウェイ２０１の音声回路２０２によって、ＲＪ４５ポートコネクタ２０８のピン４，５を介して伝達されるＰＳＴＮサービスの信号を検出することができる。初期状態は、例えば、住居用ゲートウェイ２０１のスイッチを入れた時、または、住居用ゲートウェイ２０１が住居用ゲートウェイ２０１の選択状態の１つにおいて同期を失うと、開始される。
【００３２】
住居用ゲートウェイ２０１のｘＤＳＬ  ＡＦＥ（アナログフロントエンド）２０５の送信部は、初期状態において無効にされ、ｘＤＳＬ  ＡＦＥ２０５の受信部は有効にされる。これによって、ＲＪ４５ポートコネクタ２０８に信号が出力されるのを防ぎつつ、ｘＤＳＬ  ＡＦＥの受信部は、ｘＤＳＬサービスが利用可能か否かを検出することができる。
【００３３】
さらに、イーサネット回路２０６は、初期状態Ｓ１で有効にされ、ピン１，２，３，６を用いて、ファーストイーサネット、例えば、１０／１００Ｍｂｉｔイーサネット信号を検出する。
【００３４】
そして、検出状態Ｓ２において、住居用ゲートウェイの、音声回路２０２、ｘＤＳＬ  ＡＦＥ２０５の受信部、および、イーサネット回路２０６は、それぞれ、連続的に、並行して、一方はピン４，５で、他方はピン１，２，３，６で、検知を行い、ＲＪ４５ポートコネクタ２０８を介して住居用ゲートウェイ２０１に接続されているデバイスから信号伝達されるサービスの存在を検出する。この検知は、異なるピンのセットで行われる、すなわち、ｘＤＳＬとＰＳＴＮに関しては、ピン４，５、イーサネットに関しては、ピン１，２，３，６で行われ、共通のピンを用いないので、並行して行うことができる。ｘＤＳＬとＰＳＴＮサービスは、同じピン４，５で共有されるサービスなので、並行して検出することができる。
【００３５】
検出状態Ｓ２に、選択状態Ｓ３が続く。住居用ゲートウェイ２０１のイーサネット回路２０６が、ピン１，２，３，６でファーストイーサネット信号を検出した場合（ケース１）、住居用ゲートウェイ２０１のｘＤＳＬおよびＰＳＴＮのハードウェアは、無効にされ、イーサネット回路２０６は、選択コンポーネント２０７の設定モードを「ギガビットモード」に変更する。そして、選択コンポーネント２０７の「ギガビットモード」が有効にされると、イーサネットリンクが初期化される。次に、ユーザは、イーサネットリンクが設定されるのを待つ。イーサネットリンクが設定されると、ユーザは、最終状態が「イーサネット」であると通知される。同期が失われた場合、選択コンポーネント２０７は、ｘＤＳＬ＋ＰＳＴＮ検知が有効な初期状態Ｓ１に戻る。
【００３６】
住居用ゲートウェイ２０１の音声回路が、選択状態Ｓ３中に、ＰＳＴＮ信号を検出した場合（ケース２）、選択コンポーネント２０７は、「ｘＤＳＬ＋ＰＳＴＮモード」設定のままである。その場合、ＰＳＴＮ信号に加えて、ｘＤＳＬがある場合、ｘＤＳＬがない場合の２つのオプションが可能である。ｘＤＳＬ信号がｘＤＳＬ  ＡＦＥ２０５によって検出される場合、ｘＤＳＬ  ＡＦＥ２０５によって、ｘＤＳＬ  ＡＦＥ２０５の送信機は、それ自体を、ＲＪ４５コネクタを介して住居用ゲートウェイ２０１に接続されているＤＳＬプロバイダのｘＤＳＬ送受信機に同期させることができる。ユーザは、ｘＤＳＬが同期を試みているので、ケーブルの接続を切らないようにと、インジケータを通して通知される。そうすると、イーサネット回路２０６とのイーサネットインタフェースは、無効に設定される。ｘＤＳＬ信号が検出されない場合、すなわち、Ｘ秒経っても、ＤＳＬ  ＡＦＥがハンドシェイクを検出しない場合、ユーザは、ＰＳＴＮサービスが起動され、ｘＤＳＬサービスは起動されないことを、インジケータを通して通知される。しかし、ｘＤＳＬは、引き続き、同期を試みてよい。
【００３７】
初期状態Ｓ１開始からＸ秒経っても、ＰＳＴＮ信号もイーサネット信号も検出されない場合、住居用ゲートウェイのｘＤＳＬ  ＡＦＥ２０５は、ｘＤＳＬ信号を探す（ケース３）。ｘＤＳＬ  ＡＦＥ２０５の送信機が有効にされ、送信機はそれ自身をｘＤＳＬ送受信機に同期させるように、Ｙ秒間、試みる。ユーザは、ケーブルのプラグを抜かないようにインジケータを通して通知される。
【００３８】
ｘＤＳＬ  ＡＦＥ２０５が、ｘＤＳＬの同期を完成させることができると、ユーザは、ｘＤＳＬが起動されたと、インジケータを通して通知される。そして、最後に選択されたインタフェースは、「ＤＳＬ単独」に設定され、イーサネットインタフェースは無効に設定される。しばらくして同期が失われた場合、住居用ゲートウェイ２０１は初期状態Ｓ１に戻る。
【００３９】
ｘＤＳＬ同期後にＹ秒経っても、ｘＤＳＬ  ＡＦＥ２０５がＤＳＬ信号を検出しない場合、ｘＤＳＬ  ＡＦＥ２０５のスイッチが切れる。ユーザは、この時点で、イーサネット装置にプラグを差し込んでよいと通知される。住居用ゲートウェイ２０１は、再度ｘＤＳＬの初期化を試みる前に、Ｘ秒間、ＰＳＴＮまたはイーサネット信号を待つ。
【００４０】
インタフェースが最終的に選択される前の、いずれかの時点で、イーサネット信号伝達と、ＰＳＴＮまたはＤＳＬ信号との両方が検出された場合、ケーブルのプラグを抜いて、配線をチェックするようにという指示と共に、エラー状態「エラー」がユーザに対して警告される。Ｚ秒の間、信号が検出されないと、住居用ゲートウェイ２０１は、検出プロセスを停止して、エラー状態に入る。ステップＳ５で、Ｚ秒間信号が検出されなかった後、住居用ゲートウェイ２０１は、再度、検出状態Ｓ２を開始する。 
ケース１〜３の１つを検出および選択した後、住居用ゲートウェイ２０１は、ホールド状態Ｓ４に留まる。ケース１〜３の何れかに関してホールド状態Ｓ４中に同期が失われると、住居用ゲートウェイ２０１はステップＳ６で初期状態Ｓ１に戻る。
【００４１】
本発明の利点は、単一のポートを介して、主装置で複数のサービスを提供でき、かつ、あらゆる可能な状態に関して、例えば、ピン４，５を介してＰＯＴＳサービスによって供給される４８Ｖの電圧等の危険なほど高い電圧がイーサネット回路２０６に接続されるのを避けられる。主装置のコネクタの量は減り、選択機構が自動化されて、ユーザにとっての制約が限られる。また、選択後、使用されていないインタフェースが明らかになり、節電のために電源が切られる。
【００４２】
また、本発明の他の実施形態は、本発明の範囲を逸脱することなく、当業者によって利用されてよい。本発明は、詳細には、住居用ゲートウェイ、または、第２のサービスとしてｘＤＳＬおよび／またはＰＳＴＮサービスに限定されない。本発明は、従って、請求項で規定される。
【図１】
2016502364.tif 000003
【図２】
2016502364.tif 000004
【国際調査報告】
2016502364.tif 000005
2016502364.tif 000006